(57)【要約】【課題】ロール状感光材料を暗室内でペーパーマガジン内に装着する作業を行い易くしたペーパーマガジンを提供する。【解決手段】横軸芯周りに回動して２つ割れ可能に開閉する、第１ケース２ａと第２ケース２ｂからなるケース２を有すると共に、ロール状に巻回した長尺の感光材料の芯部に挿入した支持ロールをケース２の側面部に係止して、ロール状の感光材料をケース内部に収納可能になっている、略直方体をなすペーパーマガジンである。少なくとも側面部の内、横軸芯が位置する隅部を除く隅部３箇所と、支持ロールの略中央部と、支持ロールを係止するケース２の側面部係止箇所１０と、第２ケース２ｂに設けられた幅規制ガイド７の外側面部とに蓄光テープ６が取り付けられている。【選択図】        図１
2004341007.tif 000002
【特許請求の範囲】
【請求項１】
横軸芯周りに回動して２つ割れ可能に開閉する、第１ケースと第２ケースからなるケースを有すると共に、ロール状に巻回した長尺の感光材料の芯部に挿入した支持軸を前記ケースの側面部に係止して、ロール状の前記感光材料を前記ケース内部に収納可能になっている、略直方体をなすペーパーマガジンにおいて、少なくとも前記側面部の内、前記横軸芯が位置する隅部を除く隅部３箇所と、前記支持軸の略中央部と、前記支持軸を係止する前記ケースの側面部係止箇所と、前記第２ケースに設けられた幅規制ガイドの外側面部とに蓄光部材が取り付けられていることを特徴とするペーパーマガジン。
【発明の詳細な説明】
【０００１】
【発明の属する技術分野】
本発明はペーパーマガジンに関し、詳しくは、写真処理装置に装着されるペーパーマガジンに関する。
【０００２】
【従来の技術】
写真処理装置などで使用される感光材料である長尺の印画紙を収納したペーパーマガジンは、硬質樹脂製などからなるケースと、ロール状印画紙の芯部の挿通孔に挿通してこれを軸支する支持軸などとから構成されていて、ケースの内部に、支持軸に支持された百数十ｍ程度の長さのロール状印画紙を密閉収納可能になっている（例えば、特開２００１−９２０３６号公報）。大量の写真を現像・焼付処理する、いわゆるラボ等では印画紙の消費量も多く、印画紙を消費してしまうと、新たにロール状の印画紙を補充し、ペーパーマガジンに収納することになる。
【０００３】
その場合、印画紙をペーパーマガジンに新たに収納させるには、これら両者を暗室内に持ち込んで交換作業を行うか、印画紙およびペーパーマガジンの全体を暗袋で被覆して交換するようにしている。
【０００４】
【特許文献１】
特開２００１−９２０３６号公報
【発明が解決しようとする課題】
しかしながら、ロール状印画紙をペーパーマガジンへ新たな収納される作業を暗室内で行うには、手さぐりの作業となり、しかもロール状の印画紙はかなりの重量（約１０ｋｇ程度）があるため、決して行い易いものではなく、ロール状印画紙をマガジンに衝突させて、ロール状印画紙の縁部に凹みや疵を与えることも少なくない。また、暗袋で全体を被覆して行う交換作業も同様に、面倒であり容易ではない。
【０００５】
そこで、本発明の目的は、上記従来技術の問題点に鑑みて、ロール状感光材料を暗室内でペーパーマガジン内に装着する作業を行い易くしたペーパーマガジンを提供することにある。
【０００６】
【課題を解決するための手段】
上記目的は各請求項記載の発明により達成される。すなわち、本発明に係るペーパーマガジンの特徴構成は、横軸芯周りに回動して２つ割れ可能に開閉する、第１ケースと第２ケースからなるケースを有すると共に、ロール状に巻回した長尺の感光材料の芯部に挿入した支持軸を前記ケースの側面部に係止して、ロール状の前記感光材料を前記ケース内部に収納可能になっている、略直方体をなすペーパーマガジンにおいて、少なくとも前記側面部の内、前記横軸芯が位置する隅部を除く隅部３箇所と、前記支持軸の略中央部と、前記支持軸を係止する前記ケースの側面部係止箇所と、前記第２ケースに設けられた幅規制ガイドの外側面部とに蓄光部材が取り付けられていることにある。
【０００７】
この構成によれば、ペーパーマガジン内に新たに感光材料を収納しようとして、明室から暗室にペーパーマガジンを運び込むと、ペーパーマガジンを構成するケース側面部の内、横軸芯が位置する隅部を除く隅部３箇所に蓄光材料が取り付けられているので、ペーパーマガジンのおおよその外形と開口部の位置関係を容易に把握することができ、手さぐりを繰り返すことなく円滑にペーパーマガジンの第１ケースを開くことができる。のみならず、別に用意したロール状感光材料を開封して、その中心部の挿通孔に支持軸を挿入する際にも、支持軸に取り付けられた蓄光部材を視認することにより、確実かつ支障なく支持軸を挿入できる。そして、支持軸が挿入されたロール状感光材料から突出した支持軸の両端部を両手で把持しつつ持ち上げて、ロール状感光材料を、第２ケースの側面部係止箇所に取り付けられた蓄光部材を目標に、第２ケースの側面部係止箇所に載置して係止させる。このことにより、ロール状感光材料がペーパーマガジンに当接したりして、損傷を受けることを確実に防止できる。
【０００８】
ロール状感光材料がケース内部に収納されると、ケース側面部の各隅部に取り付けられた蓄光部材により直接的に露光されることはなく、又、支持軸の略中央部や、第２ケースの側面部係止箇所に取り付けられた蓄光部材は、ロール状感光材料の中心部の挿通孔に支持軸を挿通することにより、あるいは支持軸を第２ケースの側面部係止箇所に載置して係止することにより隠蔽されるので、感光材料が露光されるのを防止できる。
【０００９】
更に、ロール状感光材料をケース内部に収納した後、ロール状感光材料の先端部を引き出して、ケースの出口側に誘導する場合にも、第２ケースに設けられた幅規制ガイドの外側面部に取り付けられた蓄光部材により、ロール状感光材料の端部を容易かつ確実にケースの出口側に引き出すことができ、しかも、感光材料の乳剤面が直接蓄光部材に向き合うことがないので、蓄光部材により支障が生じる程度に露光されることはない。
【００１０】
その結果、ロール状感光材料を暗室内でペーパーマガジンへ装着する作業を行い易くし、これまでのように、重量のあるロール状感光材料を不用意にペーパーマガジンのケースに衝突させて損傷を与える、といったトラブルを確実に防止できるペーパーマガジンを提供することができた。
【００１１】
【発明の実施の形態】
本発明の実施の形態を、図面を参照して詳細に説明する。図１は、本実施形態に係るペーパーマガジンの１例のケース外観を示す。このペーパーマガジンＭは、横軸芯１周りに回動可能な第１ケース２ａと第２ケース２ｂとからなるケース２を有すると共に、このケース２の他、図２に示すように、ロール状感光材料である巻回されたペーパーＰを軸支する支持軸である支持ロール４を備えて構成される。そして、ペーパーＰを内部に収納した後、第１ケース２ａが容易に開口しないようにロックする引掛パッチン錠などのロック部５が、左右の側面部２箇所（図１では１箇所のみ示す）に設けられている。支持ロール４が、ロール状ペーパーＰの芯部に挿入されてペーパーＰを軸支すると共に、第２ケース２ｂの側面部における傾斜部の略中心に形成された側面部係止箇所である支持ロール係止部１０に載置されると、この支持ロール係止部１０が支持ロール４端部外周に形成された多角形状と嵌合して、支持ロール４を回転不能に係止する。
【００１２】
本実施形態に係るペーパーマガジンＭのケース２内に、ロール状ペーパーＰを収納する作業を暗室内で行う際、ケース２のおおよその外形が判明するように、ケース２の外側数箇所に蓄光部材である蓄光テープ６が取り付けられている。蓄光テープ６としては、表面に蓄光（夜光）塗料が塗布されていて、一度照射を受けると、明かりのない場所でも数分〜数時間程度光り続ける市販のもの（夜光テープ、蓄光テープ等）を使用でき、裏面に粘着剤が塗布されているものであれば容易に貼着して使用できる。
【００１３】
すなわち、ペーパーマガジンＭのケース２の側面部の内、横軸芯１が位置する隅部を除く隅部３箇所と、ロック部５とに蓄光テープ６が貼着されている。これにより、作業者は暗室内においても、ペーパーマガジンＭのおおよその外形、位置関係を容易に認識でき、ロック部５のロックを外して、第１ケース２ａを上方に開口できる。もっとも、ロック部５には突起があり、必ずしも蓄光テープ６を貼着しなくても、隅部３箇所に貼着された蓄光テープ６をたよりに、手さぐりで位置を確認できるが、ロック部５に蓄光テープ６が貼着されていると、ロック部５の位置関係を極めて容易に認識できるので利便性が高くなり好ましい。
【００１４】
ペーパーＰをペーパーマガジンＭ内に収納するには、第１ケース２ａを上方に向けて横軸芯１周りに回動させて開放し、次いで、図２に示すように、支持ロール４をペーパーＰの芯部の挿通孔に挿入し、支持ロール４の両端部をペーパーＰの芯部挿通孔から突出させる。この場合、支持ロール４の略中央部位置に細幅円周状に蓄光テープ６が貼着されており、この蓄光テープ６を視認することにより、容易に支持ロール４をペーパーＰの芯部の挿通孔に挿入することができる。支持ロール４をペーパーＰの芯部の挿通孔に挿通すると、蓄光テープ６はペーパーＰの芯部に隠蔽されて蓄光を外部に漏らすことはない。
【００１５】
更に、図３に示すように、支持ロール４の突出両端部を左右の手で夫々把持し、ペーパーマガジンＭの第２ケース２ｂの支持ロール係止部１０に載置して、ペーパーマガジンＭ内にペーパーＰの全体を装入する。支持ロール係止部１０の係止面１０ａにも蓄光テープ６が貼着されているので、ペーパーＰの芯部挿通孔に挿通された支持ロール４を支持ロール係止部１０に載置することが容易となる。そして、支持ロール４を支持ロール係止部１０に載置すると、その係止面１０ａに貼着された蓄光テープ６は支持ロール４によって隠蔽されて、外部に蓄光が漏れないようになる。
【００１６】
支持ロール係止部１０に支持ロール４を介してペーパーＰを係止した後、図４（ａ）に示すように、ロール状ペーパーＰの外表面からその先端をペーパーマガジンＭの出口に向けて引き出す際、ペーパーＰの先端を幅規制ガイド７に沿わせて引き出す必要がある。その場合、図４（ｂ）に拡大して示すように、左右の幅規制ガイド７の外側に蓄光テープ６が貼着されているので、幅規制ガイド７の位置を容易に視認することができ、引き出し作業が容易となる。
【００１７】
そして、幅規制ガイド７に拘束されてペーパーＰを引き出す際、両幅規制ガイド７間の走行路下部にも蓄光テープ６を貼着しておくことが好ましい。このようになっていると、引き出されたペーパーＰの先端を、不用意に傷つけることなく、精度よく方向づけできて、確実に幅規制ガイド７間に引き出すことができる。ペーパーＰはその乳剤面と反対側の面をケース側に押し付けたまま、幅規制ガイド７の内側を通過させるようにしているので、ペーパーＰの乳剤面に蓄光が直接照射されることがない。
【００１８】
〔別実施の形態〕
（１）上記実施形態において、貼着される蓄光テープは細幅の形状に限られず、点状、矢印形、文字、記号、数字様などの種々の形状にしてもよく、判別し易い形状のものとして使用することができ、又、同一種のものを使用してもよいが、貼着する場所により蓄光量の異なるものを使用してもよい。
【図面の簡単な説明】
【図１】本発明に係るペーパーマガジンの閉鎖状態を示す斜視図
【図２】開放したペーパーマガジンへのペーパーの収納を説明する斜視図
【図３】開放したペーパーマガジンへのペーパーの収納を説明する斜視図
【図４】収納されたペーパーマガジンからペーパーを引き出す作業を説明する斜視図
【符号の説明】
２            ケース
２ａ          第１ケース
２ｂ          第２ケース
４            支持軸
６            蓄光部材
７            幅規制ガイド
１０          側面部係止箇所
Ｐ            感光材料
【図１】
2004341007.tif 000003
【図２】
2004341007.tif 000004
【図３】
2004341007.tif 000005
【図４】
2004341007.tif 000006